(57)【特許請求の範囲】
【請求項１】
ディスク状記録媒体を回転可能に収納し、前記ディスク状記録媒体を露出させるヘッド挿入用開口部を有するケースと、
前記ヘッド挿入用開口部を開閉可能に覆うスライド式のシャッタとを備えたディスクカートリッジにおいて、
前記シャッタが、開状態のときに互いに重なる状態となり、閉状態のときに、開状態での互いの重なり量を減少させるように移動して、一方向に並ぶ状態となる複数のシャッタ部材からなり、
前記シャッタの閉状態において閉じ方向の先頭に位置する第１シャッタ部材と係合し、第１シャッタ部材を閉状態に保持するシャッタロック手段と、
前記シャッタの閉状態において互いに隣合うシャッタ部材同士を少なくともシャッタの閉状態時に係合させるとともに、前記第１シャッタ部材以外のシャッタ部材のシャッタ開方向への移動を阻止するシャッタ部材間係合部とを備え、
前記ケースにはシャッタの脱落を防止する係止部が形成され、
前記第１シャッタ部材以外のシャッタ部材は、シャッタの閉状態において前記係止部に当接し、シャッタ閉方向への移動を阻止する延設部を備えるとともに、
前記複数のシャッタ部材は、シャッタの閉状態において閉じ方向の最後尾に位置するシャッタ部材がケース表面に対して最も内側位置に配され、このシャッタ部材に順次つながるシャッタ部材がケース表面に対して前記最後尾のシャッタ部材の順次外側位置に配され、
前記シャッタ部材間係合部が、内側のシャッタ部材に形成されてシャッタの開閉方向に上記延設部にも延びた長穴部と、外側のシャッタ部材に形成されて内側のシャッタ部材の前記長穴部に挿入された係合凸部とからなることを特徴とするディスクカートリッジ。
【請求項２】
シャッタの開閉方向が、ディスクカートリッジが装着されるディスク駆動装置へのディスクカートリッジの挿入方向と平行であることを特徴とする請求項１に記載のディスクカートリッジ。
【請求項３】
前記複数枚のシャッタ部材の摺動を案内するための案内部が前記ケースの同じ側の面に形成されていることを特徴とする請求項１に記載のディスクカートリッジ。
【請求項４】
ヘッドが前記ヘッド挿入用開口部に挿入されるときに通過する、ヘッド挿入用開口部の周りのケースの壁部に、ヘッドが通過可能な凹部が形成されていることを特徴とする請求項１に記載のディスクカートリッジ。
【請求項５】
シャッタの閉状態において閉じ方向の先頭に位置する第１シャッタ部材に形成され、ディスク駆動装置にディスクカートリッジを挿入する際に、ディスク駆動装置に設けられた装置側係合部に係合し、このときの挿入動作に伴って第１シャッタ部材を開方向へ移動させるためのシャッタ側係合部を備えていることを特徴とする請求項１に記載のディスクカートリッジ。
【請求項６】
ディスク駆動装置からディスクカートリッジを抜脱する際に、前記装置側係合部とシャッタ側係合部とが係合することにより、抜脱動作に伴い第１シャッタが閉方向へ移動し、シャッタが閉状態となることを特徴とする請求項５に記載のディスクカートリッジ。
【発明の詳細な説明】
【０００１】
【発明の属する技術分野】
本発明は、ミニディスク、光磁気ディスク、ＣＤ、ＤＶＤ等の各種光ディスクや、フロッピーディスク等の各種磁気ディスクなどのディスク状記録媒体を収納するディスクカートリッジに関するものである。
【０００２】
【従来の技術】
一般に、ミニディスク、光磁気ディスク、ＣＤ、ＤＶＤ等の各種光ディスクや、フロッピーディスク等の各種磁気ディスクなどのディスク状記録媒体（以下、単にディスクと称する）には、傷の発生やゴミから保護するため、ディスクカートリッジに収納されるものがあり、また、このような使用形態に限定されるものもある。このようなディスクカートリッジは、ディスクを収納した状態でディスク駆動装置に装着され、ディスク状記録媒体に対して所定の情報信号の記録または再生が可能となるように構成されている。
【０００３】
この種の従来のディスクカートリッジは、例えば図１１に示す構成となっている。このディスクカートリッジ１０１は、ディスクの記録再生に磁気ヘッドと光ヘッドとを使用するものであり、図１２および図１３に示すように、ディスク１０２を収納するケース１０３の一方の面に磁気ヘッド挿入孔１０３ａを有し、他方の面に光ヘッド挿入孔１０３ｂを有している。
【０００４】
上記磁気ヘッド挿入孔１０３ａおよび光ヘッド挿入孔１０３ｂは、スライドシャッタ１０４により開閉され、ディスク１０２の記録再生時に開放され、非記録再生時に閉じられる。そして、ディスク１０２の記録再生時には、上記磁気ヘッド挿入孔１０３ａおよび光ヘッド挿入孔１０３ｂを通じてディスク１０２の信号記録面にアクセスする磁気ヘッド１０５および光ヘッド１０６により、ディスク１０２に対する情報信号の書き込みおよび読み出しが行われる。
【０００５】
ディスク１０２に対する記録再生を行うとき、ディスクカートリッジ１０１は、ディスク駆動装置に対し、例えば図１２に示すように、矢印Ａ方向に挿入され、例えば磁気ヘッド１０５が磁気ヘッド挿入孔１０３ａに配される。このとき、磁気ヘッド１０５は、ケース１０３の周壁部１０３ｃを乗り越えなければならず、この乗り越えが可能な高さ位置に配される。この場合、ディスク１０２の位置に対する磁気ヘッド１０５の高さ位置が高いと、ディスク駆動装置の厚みが厚くなり、装置の大型化を招来する。また、ディスク１０２に対する記録再生の際には、その動作を正確に行うため、磁気ヘッド１０５を可能な限りディスク１０２に接近させることが好ましい。したがって、このような点からも磁気ヘッド１０５の高さ位置を低くすることが求められる。
【０００６】
このような要求に対し、特許第２７１６８０５号公報には、磁気ヘッドおよび光ヘッドのディスクに対する高さを低くするために、即ちディスクからの距離を短くするために、磁気ヘッドおよび光ヘッドがディスクにアクセスする際に通過する周壁部の部分に凹部を形成するとともに、開放時に前記凹部の位置に配されるシャッタの部分に切欠き部を形成した構成が開示されている。
【０００７】
【発明が解決しようとする課題】
ところが、例えば、ディスクカートリッジ１０１が小型のものである場合など、図１３に示すように、光ヘッド挿入孔１０３ｂの開口幅Ｗ1 とこの方向に対応する光ヘッド幅Ｗ2 とが折り合わず、光ヘッド１０６を光ヘッド挿入孔１０３ｂ内に完全に挿入できない場合には、ディスク１０２とこれに対向する光ヘッド１０６との距離が長くなる。この結果、たとえ前記特許公報に記載の構成、即ちケース周壁部に凹部を形成した構成を採用した場合であっても、ディスク駆動装置の厚みが厚くなり、装置の大型化を招来し、かつ、正確な記録再生を行い難くなる。
【０００８】
一方、上記の不都合を回避するためには、図１４に示すように、光ヘッド挿入孔１０３ｂの開口幅Ｗ1 を光ヘッド幅Ｗ2 よりも広くすればよいものの、単に、両幅Ｗ1 、Ｗ2 の関係をこのように設定し、光ヘッド挿入孔１０３ｂの開口幅Ｗ1 の増加に対応して、スライドシャッタ１０４の幅を広くしたのでは、ディスクカートリッジ１０１が大型化する。即ち、ディスクカートリッジ１０１は、図１４に二点鎖線で示した大きさに対し、実線で示した大きさに拡大される。この結果、この結果、却ってディスク駆動装置を大型化する必要が生じる。
【０００９】
また、ディスク駆動装置の設計時には、ディスクカートリッジ１０１のそりやディスクカートリッジ１０１が斜めに挿入されたりすることにより、ディスクカートリッジ１０１とヘッドが接触しないようにディスク２の表面に対するヘッドの上昇量を設定する必要がある。そして、もしこの上昇量に余裕がなければ、ディスクカートリッジ１０１とヘッドが接触し、ヘッドが破損する事態やディスク駆動装置にディスクカートリッジ１０１を装着できないといった問題を生じる可能性もある。
【００１０】
また、前記特許公報に記載の構成では、ディスク駆動装置へのディスクカートリッジ１０１の挿入方向とスライドシャッタ１０４の開閉方向とが垂直方向となっているので、ディスク駆動装置へのディスクカートリッジ１０１の挿入時や排出時の力を利用して、スライドシャッタ１０４の開閉を行うためには、上記力を垂直方向に変換する機構が必要となる。この結果、この機構を設けることによりディスク駆動装置の厚さや大きさが増大することになるという問題点を有している。
【００１１】
したがって、本発明は、シャッタにて開閉可能に覆われるヘッド挿入用開口部をヘッドが確実に挿入できるように大きく形成した場合にも、ディスクカートリッジ自体の大型化、並びにディスクカートリッジを使用するディスク駆動装置の大型化を抑制することができるディスクカートリッジの提供を目的としている。
【００１２】
【課題を解決するための手段】
上記の課題を解決するために、本発明のディスクカートリッジは、ディスク状記録媒体を回転可能に収納し、前記ディスク状記録媒体を露出させるヘッド挿入用開口部を有するケースと、前記ヘッド挿入用開口部を開閉可能に覆うシャッタとを備えたディスクカートリッジにおいて、前記シャッタが、開状態のときに長さが短縮され、閉状態のときに長さが伸長されるものからなることを特徴としている。
【００１３】
上記の構成によれば、シャッタが、開状態のときに長さが短縮され、閉状態のときに長さが伸長されるので、ケース上でのシャッタの閉状態における収納領域を小さくすることができる。したがって、ディスク状記録媒体を収容するケース、即ちディスクカートリッジを大型化することなく、ケースのヘッド挿入用開口部を大きく形成し、ディスク状記録媒体の記録時あるいは再生時には、ヘッド挿入用開口部にヘッドを完全に挿入することが可能となる。この結果、ディスク状記録媒体の表面に対するヘッドの高さ位置を、ヘッド挿入用開口部に完全に挿入することができない場合と比較して、低くすることができ、ディスクカートリッジを使用するディスク駆動装置を薄型化および小型化することができる。
【００１４】
また、本発明のディスクカートリッジは、ディスク状記録媒体を回転可能に収納し、前記ディスク状記録媒体を露出させるヘッド挿入用開口部を有するケースと、前記ヘッド挿入用開口部を開閉可能に覆うスライド式のシャッタとを備えたディスクカートリッジにおいて、前記シャッタが、開状態のときに互いに重なる状態となり、閉状態のときに、開状態での互いの重なり量を減少させるように移動して、一方向に並ぶ状態となる複数のシャッタ部材からなることを特徴としている。
【００１５】
上記の構成によれば、シャッタが、開状態のときに互いに重なる状態となり、閉状態のときに、開状態での互いの重なり量を減少させるように移動して、一方向に並ぶ状態となる複数のシャッタ部材からなるので、ケース上でのシャッタの閉状態における収納領域を小さくすることができる。したがって、ディスク状記録媒体を収容するケース、即ちディスクカートリッジを大型化することなく、ケースのヘッド挿入用開口部を大きく形成し、ディスク状記録媒体の記録時あるいは再生時には、ヘッド挿入用開口部にヘッドを完全に挿入することが可能となる。この結果、ディスク状記録媒体の表面に対するヘッドの高さ位置を、ヘッド挿入用開口部に完全に挿入することができない場合と比較して、低くすることができ、ディスクカートリッジを使用するディスク駆動装置を薄型化および小型化することができる。
【００１６】
また、シャッタは、複数のシャッタ部材からなる簡単な構成とすることができるので、ディスクカートリッジのコストアップを抑制することができる。
【００１７】
上記のディスクカートリッジにおいて、前記複数のシャッタ部材は、シャッタの閉状態において閉じ方向の最後尾に位置するシャッタ部材がケース表面に対して最も内側位置に配され、このシャッタ部材に順次つながるシャッタ部材がケース表面に対して前記最後尾のシャッタ部材の順次外側位置に配されている構成としてもよい。
【００１８】
上記の構成によれば、シャッタを構成する複数のシャッタ部材は、シャッタの閉状態において閉じ方向の最後尾に位置するシャッタ部材がケース表面に対して最も内側位置に配され、このシャッタ部材に順次つながるシャッタ部材がケース表面に対して前記最後尾のシャッタ部材の順次外側位置に配されているので、最後尾のシャッタ部材の表面とこれに隣合うケース表面との段差が小さくなり、このケース表面から閉じ方向の先頭に位置するシャッタ部材の表面までの面の連続性が高まる。この結果、シャッタによるディスクカートリッジの遮蔽性が向上する。これにより、ケース内へのダストの侵入を防止し、ダストが原因となるディスク状記録媒体に対する記録再生時のエラーの発生を抑制することができる。
【００１９】
また、上記のディスクカートリッジは、シャッタの閉状態において互いに隣合うシャッタ部材同士を少なくともシャッタの開閉時に係合させるシャッタ部材間係合部と、シャッタの閉状態において閉じ方向の先頭に位置する第１シャッ部材に形成され、ディスク駆動装置にディスクカートリッジを挿入する際に、ディスク駆動装置に設けられた装置側係合部に係合し、このときの挿入動作に伴って第１シャッタ部材を開方向へ移動させるためのシャッタ側係合部とを備えている構成としてもよい。
【００２０】
上記の構成によれば、ディスクカートリッジをディスク駆動装置に挿入すると、第１シャッタ部材のシャッタ側係合部がディスク駆動装置の装置側係合部に係合し、このときの挿入動作に伴って第１シャッタ部材が開方向へ移動する。このとき、隣合うシャッタ部材同士はシャッタ部材間係合部により互いに係合されるので、第１シャッタ部材の移動に伴って他のシャッタ部材も開方向へ移動する。これにより、シャッタが開状態となる。
【００２１】
したがって、簡単な構成により、ディスク駆動装置へのディスクカートリッジの挿入動作によりシャッタを開状態とすることができる。
【００２２】
また、上記のディスクカートリッジは、ディスク駆動装置からディスクカートリッジを抜脱する際に、前記装置側係合部とシャッタ側係合部とが係合することにより、抜脱動作に伴い第１シャッタ部材が閉方向へ移動し、シャッタが閉状態となる構成としてもよい。
【００２３】
上記の構成によれば、簡単な構成により、ディスク駆動装置からのディスクカートリッジの抜脱動作によりシャッタを閉状態とすることができる。
【００２４】
また、上記のディスクカートリッジは、シャッタの閉状態において閉じ方向の先頭に位置する第１シャッタ部材と係合し、第１シャッタ部材を閉状態に保持するシャッタロック手段と、シャッタの閉状態において互いに隣合うシャッタ部材同士を少なくともシャッタの閉状態時に係合させるとともに、前記第１シャッタ以外のシャッタ部材のシャッタ開方向および閉方向への移動を阻止するシャッタ部材間係合部とを備えている構成としてもよい。
【００２５】
上記の構成によれば、シャッタの閉状態においては、閉じ方向の先頭に位置する第１シャッタ部材が、シャッタロック手段により閉状態に保持され、シャッタの閉状態において互いに隣合うシャッタ部材同士が、シャッタ部材間係合部によりシャッタ開方向および閉方向への移動を阻止される。これにより、シャッタ部材の閉状態においては、第１シャッタ部材をロックするだけで、シャッタ全体を閉状態にロックすることができる。
【００２６】
また、上記のディスクカートリッジは、シャッタの開閉方向がディスクカートリッジが装着されるディスク駆動装置へのディスクカートリッジの挿入方向と平行である構成としてもよい。
【００２７】
上記の構成によれば、ディスク駆動装置へのディスクカートリッジの挿入時にディスクカートリッジに作用させる力によってシャッタの開閉を行う機構を容易に構成することができる。これにより、シャッタの開閉機構を非常に簡単かつ低コストの構成とすることができる。
【００２８】
また、上記のディスクカートリッジは、前記複数枚のシャッタ部材の摺動を案内するための案内部が前記ケースの同じ側の面に形成されている構成としてもよい。
【００２９】
上記の構成によれば、複数枚のシャッタ部材の摺動を案内するための案内部がディスクカートリッジのケースの例えば表面と裏面とに分散することなく、同じ側の面に集中して形成されるので、即ち前記案内部を形成するのに要する厚み分をケースの表面と裏面とに分散させることなく、片面に集中させることができるので、ディスクカートリッジの厚さを薄くすることができる。
【００３０】
また、上記のディスクカートリッジは、シャッタの閉状態において互いに隣合うシャッタ部材同士を少なくともシャッタの開閉時に係合させるシャッタ部材間係合部を有し、このシャッタ部材間係合部が、内側のシャッタ部材に形成されてシャッタの開閉方向に延びる長穴部と、外側のシャッタ部材に形成されて内側のシャッタ部材の前記長穴部に挿入された係合凸部とからなる構成としてもよい。
【００３１】
上記の構成によれば、シャッタの開閉時には、例えばシャッタの閉状態において閉じ方向の先頭に位置するシャッタ部材のみを操作することにより、シャッタを開閉することができる。また、シャッタ部材同士を少なくともシャッタの開閉時に係合させるシャッタ部材間係合部を簡単な構成とすることができる。
【００３２】
また、上記のディスクカートリッジは、ヘッドが前記ヘッド挿入用開口部に挿入されるときに通過する、ヘッド挿入用開口部の周りのケースの壁部に、ヘッドが通過可能な凹部が形成されている構成としてもよい。
【００３３】
上記の構成によれば、ヘッドがヘッド挿入用開口部に挿入されるときに通過する、ヘッド挿入用開口部の周りのケースの壁部に、ヘッドが通過可能な凹部が形成されているので、ヘッドをヘッド挿入用開口部に挿入する際のディスク状記録媒体の表面に対するヘッドの上昇量を抑制することができる。
【００３４】
しかも、ディスクカートリッジは、前述のように、ケースを大型化することなくケースのヘッド挿入用開口部を大きく形成し、記録再生時において、ヘッド挿入用開口部にヘッドを完全に挿入し、ディスク状記録媒体の表面に対するヘッドの高さ位置を低くすることができる。したがって、ディスク駆動装置を確実に薄型化し、小型化することができる。
【００３５】
【発明の実施の形態】
本発明の実施の一形態を図１ないし図１０に基づいて以下に説明する。
本実施の形態のディスクカートリッジは、図１に示す構成を有し、例えば掌に収まる程度の大きさに形成されている。このディスクカートリッジ１は、例えば画像情報信号を光ディスク（ディスク状記録媒体）の信号記録面に同心円状に形成される記録トラックに記録し、記録された情報信号を再生するようにしたディスク駆動装置の記録媒体として用いられる。
【００３６】
このディスクカートリッジ１の光ディスクの記録再生には磁気ヘッドと光ヘッドとが使用される。ディスクカートリッジ１は、図２および図３に示すように、光ディスク２がケース３内に回転可能に収納され、ケース３の一方の面に磁気ヘッド挿入孔（ヘッド挿入用開口部）３ａを有し、他方の面に光ヘッド挿入孔（ヘッド挿入用開口部）３ｂを有している。
【００３７】
光ディスク２は、透明基板に記録膜が形成されておりその上に保護膜が形成されている。
【００３８】
上記磁気ヘッド挿入孔３ａおよび光ヘッド挿入孔３ｂは、シャッタ４により開閉され、光ディスク２の記録再生時に開放され、非記録再生時に閉じられる。そして、光ディスク２の記録再生時には、上記磁気ヘッド挿入孔３ａおよび光ヘッド挿入孔３ｂを通じて光ディスク２の信号記録面にアクセスする磁気ヘッド５および光ヘッド６により、光ディスク２に対する情報信号の書き込みおよび読み出しが行われる。
【００３９】
ケース３は、上ハーフ７と下ハーフ８とが接合された形態を有し、薄い方形の筐体状となっている。上ハーフ７と下ハーフ８は射出成形等によりプラスチック材料で薄板状に形成されており、その外形寸法は略同一である。上ハーフ７には前記磁気ヘッド挿入孔３ａが形成され、下ハーフ８には前記光ヘッド挿入孔３ｂが形成されている。
【００４０】
磁気ヘッド挿入孔３ａは、光ディスク２の信号記録面をその半径方向に亘って部分的に外方に臨ませるものであり、ケース３の一側面であるシャッタスライド側面３ｄに沿って、このシャッタスライド側面３ｄと直交する一方の側面から他方の側面方向に延びる状態に形成されている。ケース３の周壁部における磁気ヘッド挿入孔３ａの始端部に相当する部分には、周壁部の高さを低くした凹部３ｃが形成されている。
【００４１】
ディスクカートリッジ１は、ディスク駆動装置に対し、図２に示す矢印Ｂ方向に挿入される。したがって、上記凹部３ｃは、ケース３および磁気ヘッド挿入孔３ａの挿入側端部に位置し、磁気ヘッド５は、例えば、光ディスク２に対する最適高さ位置に保持された状態で上記凹部３ｃを経て磁気ヘッド挿入孔３ａに挿入され、ディスク４の記録領域上を半径方向に走査可能である。
【００４２】
光ヘッド挿入孔３ｂは、光ディスク２の信号記録面の反対側をやはりその半径方向に亘って部分的に外方に臨ませるものであり、ケース３のシャッタスライド側面３ｄに沿って、このシャッタスライド側面３ｄと直交する一方の側面と他方の側面との間に形成されている。光ヘッド挿入孔３ｂは、シャッタスライド側面３ｄを始端部とし、光ディスク２の中心部を越える位置まで延びている。ケース３の周壁部における光ヘッド挿入孔３ｂの始端部に相当する部分には、周壁部の高さを低くした前記凹部３ｃと同様の凹部３ｅが形成されている。
【００４３】
磁気ヘッド５および光ヘッド６はディスク駆動装置に備えられ、磁気ヘッド５はディスク駆動装置に設けられた支持アーム９の先端部に取り付けられている。
【００４４】
シャッタ４は、例えばステンレス鋼板等の薄板金属にて形成され、ほぼコ字形に折曲された第１シャッタ部材１０と第２シャッタ部材１１とからなる。これら第１および第２シャッタ部材１０、１１はケース３のシャッタスライド側面３ｄを経て、上ハーフ７の表面と下ハーフ８の表面とに跨がる形状を有する。即ち、第１シャッタ部材１０は、図４（ａ）（ｂ）（ｃ）にも示すように、磁気ヘッド挿入孔３ａに対応する短板部１０ａ、シャッタスライド側面３ｄに対応する中間部１０ｂ、および光ヘッド挿入孔３ｂに対応する長板部１０ｃを有する。同様に、第２シャッタ部材１１は、磁気ヘッド挿入孔３ａに対応する短板部１１ａ、シャッタスライド側面３ｄに対応する中間部１１ｂ、および光ヘッド挿入孔３ｂに対応する長板部１１ｃを有する。
【００４５】
第１シャッタ部材１０の短板部１０ａは第２シャッタ部材１１の短板部１１ａと略同様の形状を有する一方、長板部１０ｃは第２シャッタ部材１１の長板部１１ｃと異なり、Ｂ方向側の部分が切り欠かれ、幅が狭くなっている。
【００４６】
第１および第２シャッタ部材１０、１１は、図２および図３に示す開状態のときに互いに重なる状態となり、図１に示す閉状態のときに、重なりを解く方向への摺動により、一方向に並ぶ状態となる。また、開状態においては第１シャッタ部材１０が第２シャッタ部材１１の上側に位置し、閉状態においては第１シャッタ部材１０が磁気ヘッド挿入孔３ａの始端側、即ち矢印Ｂ方向側に位置する。即ち、閉状態において閉じ方向の先頭に位置する第１シャッタ部材１０がケース３の表面に対して最も外側位置に配され、第１シャッタ部材１０につながり、第２シャッタ部材１１がケース３の表面に対して第１シャッタ部材１０よりも内側に位置する。言い換えると、閉状態において閉じ方向の最後尾に位置する第２シャッタ部材１１がケース３の表面に対して最も内側位置に配され、この第２シャッタ部材１１につながり、閉状態において第２シャッタ部材１１の閉じ方向前側に位置する第１シャッタ部材１０が第２シャッタ部材１１の外側に配されている。
【００４７】
第１シャッタ部材１０の短板部１０ａにおけるＢ方向側の端部には、図１に示すように、この端部をケース３側に折り曲げることにより凹部閉塞部１０ｄが形成されている。この凹部閉塞部１０ｄは、シャッタ４の閉状態においてケース３の凹部３ｃを塞ぐためのものである。
【００４８】
上記のように、第１シャッタ部材１０が第２シャッタ部材１１の外側に位置することにより、シャッタ４の閉状態においてディスクカートリッジ１のＢ方向側の表面が、シャッタ４の部分とそれ以外の部分とにおいて段差を生じることなく、ほぼ均一な平坦面となる。
【００４９】
また、シャッタ４の閉状態において閉じ方向の最後尾に位置する第２シャッタ部材１１がケース３の表面に対して最も内側位置に配され、第１シャッタ部材１０が第２シャッタ部材１１の外側位置に配されるので、第２シャッタ部材１１の表面とこれに隣合うケース３の表面との段差が小さくなり、このケース３の表面から閉じ方向の先頭に位置する第１シャッタ部材１０の表面までの面の連続性が高まる。この結果、シャッタ４によるディスクカートリッジ１の遮蔽性が向上する。
【００５０】
また、シャッタ４が凹部閉塞部１０ｄを有することにより、ディスクカートリッジ１は、凹部３ｃを有していてもＢ方向側、即ちディスク駆動装置への挿入側の側面がほぼ平坦面となる。
【００５１】
第１シャッタ部材１０の短板部１０ａには、シャッタ４の閉状態を示す図４、シャッタ４の開状態を示す図５、および図２におけるＸ−Ｘ線矢視断面図である図６に示すように、Ｂ方向に並ぶ２個の案内凸部（シャッタ部材間係合部）１０ｅ・１０ｅが形成されている。これら案内凸部１０ｅ・１０ｅは、短板部１０ａを切り込み、ケース３方向に折り曲げることにより形成されている。上記案内凸部１０ｅ・１０ｅに対応して、第２シャッタ部材１１の短板部１１ａには長穴部（シャッタ部材間係合部）１１ｅが形成され、ケース３には案内溝部（案内部）３ｆが形成されている。
【００５２】
上記長穴部１１ｅは、短板部１１ａにおけるＢ方向側端部から逆Ｂ方向に延びている。即ち、Ｂ方向側端部が開放され、逆Ｂ方向側端部が閉じた形状を有する。この長穴部１１ｅは、シャッタ４の開動作の際に第１シャッタ部材１０の案内凸部１０ｅ・１０ｅがこの長穴部１１ｅに入り込むことにより、第１シャッタ部材１０が第２シャッタ部材１１と重なり合えるようにするものである。また、長穴部１１ｅの逆Ｂ方向側端部の位置は、第１シャッタ部材１０が逆Ｂ方向、即ちシャッタ４の開方向に移動し、その案内凸部１０ｅ・１０ｅが長穴部１１ｅの逆Ｂ方向側端部と当接したときに、第１シャッタ部材１０と第２シャッタ部材１１との短板部１０ａ、１１ａ同士がほぼ完全に重なりあった状態となる位置に設定されている。
【００５３】
ケース３の案内溝部３ｆは、Ｂ方向に延びており、第１シャッタ部材１０の案内凸部１０ｅ・１０ｅが摺動可能に挿入されることにより、Ｂおよび逆Ｂ方向への第１シャッタ部材１０の摺動を案内するものである。
【００５４】
また、第２シャッタ部材１１の短板部１１ａには、前記案内凸部１０ｅ・１０ｅと同様にして、Ｂ方向に並ぶ２個の案内凸部１１ｆ・１１ｆが形成されている。上記案内凸部１１ｅ・１１ｅに対応して、ケース３には案内溝部（案内部）３ｇが形成されている。
【００５５】
上記案内溝部３ｇは、Ｂ方向に延びており、第２シャッタ部材１１の案内凸部１１ｆ・１１ｆが摺動可能に挿入されることにより、Ｂおよび逆Ｂ方向への第２シャッタ部材１１の摺動を案内するものである。
【００５６】
また、第１シャッタ部材１０の中間部１０ｂには、中間部１０ｂを切り込み、ケース３方向に折り曲げることにより、ロック用凸部（シャッタ部材間係合部、シャッタロック手段）１０ｆが形成されている。このロック用凸部１０ｆの横には、嵌合穴（シャッタ側係合部）１０ｇが形成されている。
【００５７】
上記ロック用凸部１０ｆに対応して、第２シャッタ部材１１の中間部１１ｂには、図４（ａ）に示すように、長穴部（シャッタ部材間係合部）１１ｇが形成され、ケース３には、図４（ｂ）に示すように、ロック部材（シャッタロック手段）１２が設けられている。
【００５８】
上記長穴部１１ｇは、中間部１１ｂにおいてＢ方向に延びている。この長穴部１１ｇは、シャッタ４の閉動作の際に第１シャッタ部材１０のロック用凸部１０ｆがこの長穴部１１ｇ内を移動することにより、第１シャッタ部材１０が第２シャッタ部材１１と重なり合えるようにするものである。
【００５９】
ロック部材１２は、シャッタ４を閉状態としたときに、ロック用凸部１０ｆと嵌合し、第１シャッタ部材１０を閉状態にロックするものである。このロック部材１２は、ロック用凸部１０ｆと嵌合するロック用爪部１２ａを有し、軸部１２ｂを中心に回転可能であり、弾性部１２ｃにより図４（ｂ）に示したＣ方向に付勢されている。したがって、第１シャッタ部材１０がシャッタ４を閉状態とする所定の閉位置に摺動して来たときに、第１シャッタ部材１０のロック用凸部１０ｆが上記ロック部材１２と嵌合するようになっている。
【００６０】
第２シャッタ部材１１は、図５（ａ）（ｂ）に示すように、中間部１１ｂにおける中央付近の部分がＢ方向に延びた状態の延設部（シャッタ部材間係合部）１１ｈを有している。この延設部１１ｈにも前記長穴部１１ｇが延長した状態で形成され、この長穴部１１ｇ内には第１シャッタ部材１０のロック用凸部１０ｆが挿入されている。
【００６１】
ケース３には、ケース３からのシャッタ４の脱落を防止するために、図１に示すように、シャッタスライド側面３ｄにおけるＢ方向側端部に係止部３ｈが形成され、逆Ｂ方向側端部に係止部３ｉが形成されている。さらに、シャッタスライド側面３ｄに案内溝部３ｊが形成されている。
【００６２】
第２シャッタ部材１１は、図４（ａ）（ｂ）に示したシャッタ４の閉状態において、延設部１１ｈの先端部が上記係止部３ｈに当接し、長穴部１１ｇにおけるＢ方向側端部がロック用凸部１０ｆと当接している。また、ロック用凸部１０ｆは上記のように、ロック部材１２と嵌合している。したがって、この状態において、第２シャッタ部材１１は、逆Ｂ方向への移動が阻止され、所定の閉位置に固定された状態となる。
【００６３】
また、ディスク駆動装置には、図５（ａ）（ｂ）に示すように、棒状のシャッタロック解除部材１３、および弾性部材、例えば板ばねからなるシャッタオープナ（装置側係合部）１４が設けられている。
【００６４】
上記の構成において、以下にディスクカートリッジ１の動作について説明する。
【００６５】
まず、シャッタ４の閉状態について説明する。
ディスクカートリッジ１は、ディスク駆動装置に装着されていないとき、図１および図１におけるＹ−Ｙ線矢視断面図である図７に示すように、シャッタ４が閉じられた状態となっている。この状態においては、図４に示すように、シャッタ４は閉状態にロックされている。即ち、第１シャッタ部材１０のロック用凸部１０ｆがロック部材１２と嵌合し、第１シャッタ部材１０が閉位置にロックされている。
【００６６】
また、第２シャッタ部材１１は、延設部１１ｈの先端部がケース３の係止部３ｈと当接し、それ以上のＢ方向への移動が阻止されとともに、延設部１１ｈの長穴部１１ｇにおけるＢ方向側端部に第１シャッタ部材１０のロック用凸部１０ｆが位置するので、逆Ｂ方向（開方向）への移動も阻止されている。したがって、第２シャッタ部材１１も所定の閉位置に固定される。
【００６７】
次に、ディスク駆動装置へのディスクカートリッジ１の挿入に伴う、シャッタ４の開状態への移行動作について説明する。
【００６８】
ディスク駆動装置にディスクカートリッジ１を装着する際には、従来の例えばＭＤ装置の場合と同様、ディスク駆動装置に設けられているカートリッジホルダにディスクカートリッジ１を挿入する。この動作を開始すると、ディスク駆動装置に設けられたシャッタロック解除部材１３（図５参照）がスライド側面３ｄにおける案内溝部３ｊに入り込む。そして、シャッタロック解除部材１３の先端部がロック部材１２の斜面に衝突し、ロック部材１２がシャッタロック解除部材１３に押されて逆Ｃ方向に回転する。これにより、ロック部材１２と第１シャッタ部材１０のロック用凸部１０ｆとの嵌合が外れ、第１シャッタ部材１０、即ちシャッタ４のロック状態が解除される。このとき、ロック部材１２の弾性部１２ｃは、図５（ｂ）に示すように、ケース３の例えば案内溝部３ｊに圧接され、撓んだ状態となる。
【００６９】
その後、ディスク駆動装置のシャッタオープナ１４が第１シャッタ部材１０の中間部１０ｂにおける嵌合穴１０ｇに嵌合し、ディスクカートリッジ１の挿入動作に伴い、第１シャッタ部材１０が開方向へ移動する。
【００７０】
その後、第１シャッタ部材１０の案内凸部１０ｅが第２シャッタ部材１１の長穴部１１ｅに入り込む。そして、案内凸部１０ｅが長穴部１１ｅにおける逆Ｂ方向側の端部に到達すると、第１シャッタ部材１０と第２シャッタ部材１１とが最終的な重なり状態となり、第２シャッタ部材１１が第１シャッタ部材１０とともに開方向へ移動する。このとき、第１および第２シャッタ部材１０、１１は、それらの案内凸部１０ｅ・１０ｅ、１１ｆ・１１ｆがケース３の案内溝部３ｇ、３ｆ内を移動することにより、良好に摺動する。
【００７１】
その後、ディスク駆動装置へのディスクカートリッジ１の挿入が終了すると、第１および第２シャッタ部材１０、１１の逆Ｂ方向側端部が係止部３ｉに当接するとともに、図５（ａ）（ｂ）に示すように、第１シャッタ部材１０の中間部１０ｂにおける嵌合穴１０ｇに、ディスク駆動装置のシャッタオープナ１４が嵌合する。これにより、シャッタ４が開状態となる。
【００７２】
次に、ディスク駆動装置からのディスクカートリッジ１の抜脱に伴う、シャッタ４の閉状態への移行動作について説明する。
【００７３】
ディスク駆動装置からのディスクカートリッジ１の抜脱を開始し、ディスクカートリッジ１を逆Ｂ方向へ移動させると、図５（ａ）（ｂ）に示すように、シャッタオープナ１４が第１シャッタ部材１０の嵌合穴１０ｇに嵌合しているので、ディスクカートリッジ１の移動に伴い、第１シャッタ部材１０がケース３に対しＢ方向へ移動する。
【００７４】
その後、第１シャッタ部材１０のロック用凸部１０ｆが第２シャッタ部材１１の延設部１１ｈにおける長穴部１１ｇのＢ方向側端部に到達すると、ロック用凸部１０ｆに引っ張られて第２シャッタ部材１１が第１シャッタ部材１０とともにＢ方向に移動する。
【００７５】
その後、第１シャッタ部材１０がケース３のＢ方向側端部、即ちＢ方向側の係止部３ｈと当接する位置に到達すると、ロック用凸部１０ｆがロック部材１２と嵌合し、第１シャッタ部材１０が閉位置にロックされ、シャッタ４が前述の閉状態となる。
【００７６】
上記のように、本ディスクカートリッジ１では、シャッタ４を伸縮可能な構造とし、開状態のときに長さが短縮され、閉状態のときに長さが伸長されるようにしている。したがって、ケース３上でのシャッタ４の閉状態での収納領域を小さくすることができ、光ディスク２を収容するケース３を大型化することなく、磁気ヘッド挿入孔３ａおよび光ヘッド挿入孔３ｂを大きく形成することができる。これにより、ケース３、即ちディスクカートリッジ１は、光ディスク２とほぼ同じ大きさ（例えば一辺が光ディスク２の直径とほぼ等しい大きさの方形の板形状）とすることも可能である。
【００７７】
また、本実施の形態のディスクカートリッジ１は、シャッタ４が第１シャッタ部材１０と第２シャッタ部材１１との２枚のシャッタ部材からなるので、磁気ヘッド挿入孔３ａおよび光ヘッド挿入孔３ｂの開口面積（開口幅）を、ケース３の大きさを変更することなく、従来のものに対して拡大（最大２倍程度に）することができる。即ち、例えば本ディスクカートリッジ１のようにシャッタ４が２枚のシャッタ部材１０、１１からなる構成とした場合には、シャッタ４の開状態におけるシャッタ４の幅を従来のものと同じ幅としながら、磁気ヘッド挿入孔３ａおよび光ヘッド挿入孔３ｂのＢ方向の幅を最大２倍にすることができる。
【００７８】
また、ディスクカートリッジ１は、その大きさを小型化した場合でも、十分な大きさの磁気ヘッド挿入孔３ａおよび光ヘッド挿入孔３ｂを形成することができるので、ディスクカートリッジ１の小型化にも対応可能である。
【００７９】
これに対し、例えば図９および図１０に示すように、シャッタ５４を１個のシャッタ部材のみで構成しているディスクカートリッジ５１では、例えば磁気ヘッド挿入孔５３ａを大きくした分だけケース５３が大型化することになる。
【００８０】
即ち、ディスクカートリッジ５１は、ディスクカートリッジ１と同様、ディスク駆動装置に対してＢ方向に挿入し、逆Ｂ方向にシャッタ５４が開放され、かつディスクカートリッジ１の磁気ヘッド挿入孔３ａと同じ大きさの磁気ヘッド挿入孔５３ａを有している。しかしながら、このディスクカートリッジ５１では、シャッタ５４のＢ方向の長さが磁気ヘッド挿入孔５３ａの拡大に伴って長くなっているので、磁気ヘッド挿入孔５３ａ、即ちシャッタ５４の開状態において、シャッタを収納するために少なくともシャッタ５４と同じ大きさの領域が必要となり、ケース５３が大型化する。
【００８１】
また、ディスクカートリッジ１は、図２および図３に示すように、磁気ヘッド挿入孔３ａおよび光ヘッド挿入孔３ｂの始端位置におけるケース３の壁部に凹部３ｃおよび凹部３ｅが形成されているので、シャッタ４を開放した状態において、上記壁部の上面と光ディスク２の表面との段差を抑制することができる。これにより、磁気ヘッド５および光ヘッド６を磁気ヘッド挿入孔３ａおよび光ヘッド挿入孔３ｂに挿入する際のこれら両ヘッド３ａ、３ｂの光ディスク２の面に対する上昇量を抑制できる。
【００８２】
また、磁気ヘッド挿入孔３ａおよび光ヘッド挿入孔３ｂを大きく形成して、磁気ヘッド５および光ヘッド６共に、それぞれ、磁気ヘッド挿入孔３ａおよび光ヘッド挿入孔３ｂに挿入することができるので、磁気ヘッド５および光ヘッド６を光ディスク２の記録再生位置に配した状態において、両ヘッド３ａ、３ｂの光ディスク２の表面に対する上昇量を、両ヘッド３ａ、３ｂが光ディスク２の表面に接触しない程度に設定することができる。これにより、光ディスク２の表面に対する両ヘッド５、６の上昇量を抑制することができる。例えば、従来のように光ヘッド６を光ヘッド挿入孔３ｂに挿入せずにケース３上に配して光ディスク２にアクセスさせる場合と比較して、光ヘッド６の上昇量を抑制することができる。
【００８３】
上記の点を図面により具体的に示すと、図８に示すように、光ヘッド６は、光ディスク２に対する記録再生時に、光ヘッド挿入孔３ｂに完全に挿入できた場合（本ディスクカートリッジ１の場合）に実線で示す位置となり、完全に挿入でない場合（従来のディスクカートリッジの場合）に波線で示す光ヘッド６’の位置となる。また、磁気ヘッド５および支持アーム９は、磁気ヘッド挿入孔３ａの始端部の凹部３ｃが形成されている場合、磁気ヘッド挿入孔３ａへの挿入動作時に、磁気ヘッド５ａ1 および支持アーム９ａ1 の位置に保持され、光ディスク２に対する記録再生時に、磁気ヘッド５ａ2 および支持アーム９ａ2 の位置に配される。また、上記凹部３ｃが形成されていない場合、磁気ヘッド挿入孔３ａへの挿入動作時に、磁気ヘッド５ｂ1 および支持アーム９ｂ1 の位置に保持され、光ディスク２に対する記録再生時に、磁気ヘッド５ａ2 および支持アーム９ｂ2 の位置に配される。
【００８４】
上記のように、本ディスクカートリッジ１を使用した場合には、磁気ヘッド５および光ヘッド６の光ディスク２の面に対する上昇量を抑制することができるので、磁気ヘッド５および光ヘッド６のそれぞれの光ディスク２へのアクセスの際の移動のための空間を小さくし、ディスク駆動装置を薄型化および小型化することができる。
【００８５】
また、シャッタ４の閉状態においては、上記凹部３ｃが第１シャッタ部材１０の凹部閉塞部１０ｄにより覆われるので、凹部３ｃからのケース３内へのダストの侵入を防止することができる。
【００８６】
また、シャッタ４の閉状態において、シャッタ折り曲げ部３１と上ハーフの凹部３ｃには段差が生じず、ディスクカートリッジ１は、連続的な面を有する立体となるため、ハンドリング性に優れかつラックケースなどに収納し易いものとなる。
【００８７】
なお、以上の説明において、シャッタ４は、第１シャッタ部材１０と第２シャッタ部材１１との２枚のシャッタ部材からなる場合について示したが、３枚以上のシャッタ部材からなるものであってもよい。この場合、隣り合うシャッタ部材同士は、例えば第１シャッタ部材１０と第２シャッタ部材１１との関係を有するものとなる。
【００８８】
以上のように、本発明のディスクカートリッジは、従来のディスクカートリッジに比べ、シャッタを複数枚で構成することにより、ディスクカートリッジを大きくすることなくディスクを外方に臨ませる開口部の面積を大きくとることができる。
【００８９】
また、ケース端部の厚さをディスクカートリッジ全体の厚さより薄くし、開口部をシャッタのスライド方向に沿って上記ケース端部から設け、かつシャッタ開閉方向とディスク駆動装置へのカートリッジ挿入方向とを同一方向としている。これにより、簡単なシャッタ開閉機構を持ち、かつヘッド（信号書き込み読み出し手段）の移動量を大きくとる必要がないばかりか、ディスクに近接させた状態でヘッドの上記ディスクに対する接離を行うことができる。したがって、ヘッドの移動量を小さくでき、ディスク駆動装置の大幅な小型化が可能となる。
【００９０】
本発明のディスクカートリッジは、シャッタの閉状態において互いに隣合うシャッタ部材同士を少なくともシャッタの閉状態時に係合させ、シャッタ部材が閉方向側のシャッタ部材に対して開方向へ移動するのを阻止するシャッタ部材間係合部と、シャッタの閉状態において閉じ方向の先頭に位置する第１シャッタ部材と係合し、第１シャッタ部材を閉状態に保持するシャッタロック手段と、前記第１シャッタ部材以外のシャッタ部材に設けられ、シャッタの閉状態においてそのシャッタ部材以外の部材に当接し、開方向へのシャッタ部材の移動を阻止する開方向移動阻止部とを備えている構成としてもよい。
【００９１】
【発明の効果】
以上のように、本発明のディスクカートリッジは、ディスク状記録媒体を回転可能に収納し、前記ディスク状記録媒体を露出させるヘッド挿入用開口部を有するケースと、前記ヘッド挿入用開口部を開閉可能に覆うシャッタとを備えたディスクカートリッジにおいて、前記シャッタが、開状態のときに長さが短縮され、閉状態のときに長さが伸長されるものからなる構成である。
【００９２】
上記の構成によれば、ケース上でのシャッタの閉状態における収納領域を小さくすることができる。したがって、ディスク状記録媒体を収容するケースを大型化することなく、ケースのヘッド挿入用開口部を大きく形成し、ディスク状記録媒体の記録時あるいは再生時には、ヘッド挿入用開口部にヘッドを完全に挿入することが可能となる。この結果、ディスク状記録媒体の表面に対するヘッドの高さ位置を、ヘッド挿入用開口部に完全に挿入することができない場合と比較して、低くすることができ、ディスクカートリッジを使用するディスク駆動装置を薄型化および小型化することができる。
【００９３】
また、本発明のディスクカートリッジは、ディスク状記録媒体を回転可能に収納し、前記ディスク状記録媒体を露出させるヘッド挿入用開口部を有するケースと、前記ヘッド挿入用開口部を開閉可能に覆うスライド式のシャッタとを備えたディスクカートリッジにおいて、前記シャッタが、開状態のときに互いに重なる状態となり、閉状態のときに、開状態での互いの重なり量を減少させるように移動して、一方向に並ぶ状態となる複数のシャッタ部材からなる構成である。
【００９４】
上記の構成によれば、ケース上でのシャッタの閉状態における収納領域を小さくすることができる。したがって、ディスク状記録媒体を収容するケースを大型化することなく、ケースのヘッド挿入用開口部を大きく形成し、ディスク状記録媒体の記録時あるいは再生時には、ヘッド挿入用開口部にヘッドを完全に挿入することが可能となる。この結果、ディスク状記録媒体の表面に対するヘッドの高さ位置を、ヘッド挿入用開口部に完全に挿入することができない場合と比較して、低くすることができ、ディスクカートリッジを使用するディスク駆動装置を薄型化および小型化することができる。
【００９５】
また、シャッタは、複数のシャッタ部材からなる簡単な構成とすることができるので、ディスクカートリッジのコストアップを抑制することができる。
【００９６】
上記のディスクカートリッジにおいて、前記複数のシャッタ部材は、シャッタの閉状態において閉じ方向の最後尾に位置するシャッタ部材がケース表面に対して最も内側位置に配され、このシャッタ部材に順次つながるシャッタ部材がケース表面に対して前記最後尾のシャッタ部材の順次外側位置に配されている構成としてもよい。
【００９７】
上記の構成によれば、最後尾のシャッタ部材の表面とこれに隣合うケース表面との段差が小さくなり、このケース表面から閉じ方向の先頭に位置するシャッタ部材の表面までの面の連続性が高まる。この結果、シャッタによるディスクカートリッジの遮蔽性が向上する。これにより、ケース内へのダストの侵入を防止し、ダストが原因となるディスク状記録媒体に対する記録再生時のエラーの発生を抑制することができる。
【００９８】
また、上記のディスクカートリッジは、シャッタの閉状態において互いに隣合うシャッタ部材同士を少なくともシャッタの開閉時に係合させるシャッタ部材間係合部と、シャッタの閉状態において閉じ方向の先頭に位置する第１シャッ部材に形成され、ディスク駆動装置にディスクカートリッジを挿入する際に、ディスク駆動装置に設けられた装置側係合部に係合し、このときの挿入動作に伴って第１シャッタ部材を開方向へ移動させるためのシャッタ側係合部とを備えている構成としてもよい。
【００９９】
上記の構成によれば、ディスクカートリッジをディスク駆動装置に挿入すると、第１シャッタ部材のシャッタ側係合部がディスク駆動装置の装置側係合部に係合し、このときの挿入動作に伴って第１シャッタ部材が開方向へ移動する。このとき、隣合うシャッタ部材同士はシャッタ部材間係合部により互いに係合されるので、第１シャッタ部材の移動に伴って他のシャッタ部材も開方向へ移動する。これにより、シャッタが開状態となる。
【０１００】
したがって、簡単な構成により、ディスク駆動装置へのディスクカートリッジの挿入動作によりシャッタを開状態とすることができる。
【０１０１】
また、上記のディスクカートリッジは、ディスク駆動装置からディスクカートリッジを抜脱する際に、前記装置側係合部とシャッタ側係合部とが係合することにより、抜脱動作に伴い第１シャッタ部材が閉方向へ移動し、シャッタが閉状態となる構成としてもよい。
【０１０２】
上記の構成によれば、簡単な構成により、ディスク駆動装置からのディスクカートリッジの抜脱動作によりシャッタを閉状態とすることができる。
【０１０３】
また、上記のディスクカートリッジは、シャッタの閉状態において閉じ方向の先頭に位置する第１シャッタ部材と係合し、第１シャッタ部材を閉状態に保持するシャッタロック手段と、シャッタの閉状態において互いに隣合うシャッタ部材同士を少なくともシャッタの閉状態時に係合させるとともに、前記第１シャッタ以外のシャッタ部材のシャッタ開方向および閉方向への移動を阻止するシャッタ部材間係合部とを備えている構成としてもよい。
【０１０４】
上記の構成によれば、シャッタの閉状態においては、閉じ方向の先頭に位置する第１シャッタ部材が、シャッタロック手段により閉状態に保持され、シャッタの閉状態において互いに隣合うシャッタ部材同士が、シャッタ部材間係合部によりシャッタ開方向および閉方向への移動を阻止される。これにより、シャッタ部材の閉状態においては、第１シャッタ部材をロックするだけで、シャッタ全体を閉状態にロックすることができる。
【０１０５】
また、上記のディスクカートリッジは、シャッタの開閉方向がディスクカートリッジが装着されるディスク駆動装置へのディスクカートリッジの挿入方向と平行である構成としてもよい。
【０１０６】
上記の構成によれば、ディスク駆動装置へのディスクカートリッジの挿入時にディスクカートリッジに作用させる力によってシャッタの開閉を行う機構を容易に構成することができる。これにより、シャッタの開閉機構を非常に簡単かつ低コストの構成とすることができる。
【０１０７】
また、上記のディスクカートリッジは、前記複数枚のシャッタ部材の摺動を案内するための案内部が前記ケースの同じ側の面に形成されている構成としてもよい。
【０１０８】
上記の構成によれば、複数枚のシャッタ部材の摺動を案内するための案内部がディスクカートリッジのケースの例えば表面と裏面とに分散することなく、同じ側の面に集中して形成されるので、即ち前記案内部を形成するのに要する厚み分をケースの表面と裏面とに分散させることなく、片面に集中させることができるので、ディスクカートリッジの厚さを薄くすることができる。
【０１０９】
また、上記のディスクカートリッジは、シャッタの閉状態において互いに隣合うシャッタ部材同士を少なくともシャッタの開閉時に係合させるシャッタ部材間係合部を有し、このシャッタ部材間係合部が、内側のシャッタ部材に形成されてシャッタの開閉方向に延びる長穴部と、外側のシャッタ部材に形成されて内側のシャッタ部材の前記長穴部に挿入された係合凸部とからなる構成としてもよい。
【０１１０】
上記の構成によれば、シャッタの開閉時には、例えばシャッタの閉状態において閉じ方向の先頭に位置するシャッタ部材のみを操作することにより、シャッタを開閉することができる。また、シャッタ部材同士を少なくともシャッタの開閉時に係合させるシャッタ部材間係合部を簡単な構成とすることができる。
【０１１１】
また、上記のディスクカートリッジは、ヘッドが前記ヘッド挿入用開口部に挿入されるときに通過する、ヘッド挿入用開口部の周りのケースの壁部に、ヘッドが通過可能な凹部が形成されている構成としてもよい。
【０１１２】
上記の構成によれば、ヘッドがヘッド挿入用開口部に挿入されるときに通過する、ヘッド挿入用開口部の周りのケースの壁部に、ヘッドが通過可能な凹部が形成されているので、ヘッドをヘッド挿入用開口部に挿入する際のディスク状記録媒体の表面に対するヘッドの上昇量を抑制することができる。
【０１１３】
しかも、ディスクカートリッジは、前述のように、ケースを大型化することなくケースのヘッド挿入用開口部を大きく形成し、記録再生時において、ヘッド挿入用開口部にヘッドを完全に挿入し、ディスク状記録媒体の表面に対するヘッドの高さ位置を低くすることができる。したがって、ディスク駆動装置を確実に薄型化し、小型化することができる。
【図面の簡単な説明】
【図１】本発明の実施の一形態におけるディスクカートリッジを示す斜視図である。
【図２】図１に示したシャッタを開状態とし、磁気ヘッド挿入孔に磁気ヘッドを挿入した状態を示す斜視図である。
【図３】図１に示したシャッタを開状態とし、光ヘッド挿入孔に光ヘッドを挿入した状態を示す斜視図である。
【図４】図４（ａ）は図１に示したシャッタの閉状態における平面図、図４（ｂ）は同正面図、図４（ｃ）は同側面図である。
【図５】図５（ａ）は図１に示したシャッタの開状態における平面図、図５（ｂ）は同正面図である。
【図６】図２におけるＸ−Ｘ線矢視断面図である。
【図７】図１におけるＹ−Ｙ線矢視断面図である。
【図８】図２におけるＺ−Ｚ線矢視断面図である。
【図９】本発明の前提となるディスクカートリッジの構成であって、ヘッド挿入孔を大きく形成したディスクカートリッジにおけるシャッタの閉状態を示す斜視図である。
【図１０】図９に示したディスクカートリッジにおいて、シャッタを開状態とし、磁気ヘッド挿入孔に磁気ヘッドを挿入した状態を示す斜視図である。
【図１１】従来のディスクカートリッジにおけるシャッタの閉状態を示す斜視図である。
【図１２】図１１に示したシャッタを開状態とし、磁気ヘッド挿入孔に磁気ヘッドを挿入した状態を示す斜視図である。
【図１３】図１１に示したシャッタを開状態とし、光ヘッド挿入孔に光ヘッドを配した状態を示す斜視図である。
【図１４】図１３に示したディスクカートリッジにおいて、光ヘッド挿入孔に光ヘッドを完全に挿入可能とするために、光ヘッド挿入孔を大きく形成した場合にディスクカートリッジが大型化する状態を示す斜視図である。
【符号の説明】
１    ディスクカートリッジ
２    光ディスク（ディスク状記録媒体）
３    ケース
３ａ  磁気ヘッド挿入孔（ヘッド挿入用開口部）
３ｂ  光ヘッド挿入孔（ヘッド挿入用開口部）
３ｃ  凹部
３ｄ  シャッタスライド側面
３ｅ  凹部
３ｆ  案内溝部（案内部）
３ｇ  案内溝部（案内部）
３ｈ  係止部
３ｉ  係止部
３ｊ  案内溝部
４    シャッタ
５    磁気ヘッド
６    光ヘッド
１０    第１シャッタ部材
１０ａ  短板部
１０ｂ  中間部
１０ｃ  長板部
１０ｄ  凹部閉塞部
１０ｅ  案内凸部（シャッタ部材間係合部）
１０ｆ  ロック用凸部（シャッタ部材間係合部、シャッタロック手段）
１０ｇ  嵌合穴（シャッタ側係合部）
１１    第２シャッタ部材
１１ａ  短板部
１１ｂ  中間部
１１ｃ  長板部
１１ｅ  長穴部（シャッタ部材間係合部）
１１ｆ  案内凸部
１１ｇ  長穴部（シャッタ部材間係合部）
１１ｈ  延設部（シャッタ部材間係合部）
１２    ロック部材（シャッタロック手段）
１３    シャッタロック解除部材
１４    シャッタオープナ（装置側係合部）
【図１】
0004364370.tif 000002
【図２】
0004364370.tif 000003
【図３】
0004364370.tif 000004
【図４】
0004364370.tif 000005
【図５】
0004364370.tif 000006
【図６】
0004364370.tif 000007
【図７】
0004364370.tif 000008
【図８】
0004364370.tif 000009
【図９】
0004364370.tif 000010
【図１０】
0004364370.tif 000011
【図１１】
0004364370.tif 000012
【図１２】
0004364370.tif 000013
【図１３】
0004364370.tif 000014
【図１４】
0004364370.tif 000015